(57)【要約】  【課題】  施工期間を短縮することができるＰＣウェル及び橋梁の施工方法を提供する。【解決手段】  筒状のＰＣウェル本体２１と、ＰＣウェル本体２１から内方に突出し、橋脚３を取り付け可能な固定部１０とを備えるＰＣウェル。また、前記ＰＣウェルを用いて、内周面に固定部１０を有する筒状のＰＣウェル基礎２を複数構築する基礎構築工程（Ｓ１）と、固定部１０に橋脚３を取り付けることにより各ＰＣウェル基礎２にそれぞれ橋脚３を仮固定する仮固定工程（Ｓ２）と、各橋脚３間に橋梁上部工４を架設する架設工程（Ｓ３）と、各ＰＣウェル基礎２の内部にコンクリート８０を打設して養生することにより各橋脚３を各ＰＣウェル基礎２に本固定する本固定工程（Ｓ４）とを備え、架設工程（Ｓ３）は、本固定工程（Ｓ４）より前、又は、同時に行われることを特徴とする橋梁の施工方法である。【選択図】  図２
2008101394.tif 000002
【特許請求の範囲】
【請求項１】
筒状のＰＣウェル本体と、
前記ＰＣウェル本体から内方に突出し、橋脚を取り付け可能な固定部とを備えるＰＣウェル。
【請求項２】
請求項１に記載のＰＣウェルを用いて、内周面に前記固定部を有する筒状のＰＣウェル基礎を複数構築する基礎構築工程と、
前記固定部に橋脚を取り付けることにより前記各ＰＣウェル基礎にそれぞれ前記橋脚を仮固定する仮固定工程と、
前記各橋脚間に橋梁上部工を架設する架設工程と、
前記各ＰＣウェル基礎の内部にコンクリートを打設して養生することにより前記各橋脚を前記各ＰＣウェル基礎に本固定する本固定工程とを備え、
前記架設工程は、前記本固定工程より前、又は、同時に行われることを特徴とする橋梁の施工方法。
【発明の詳細な説明】
【技術分野】
【０００１】
本発明は、ＰＣウェル基礎に用いるＰＣウェル、及び、ＰＣウェル基礎を備える橋梁の施工方法に関する。
【背景技術】
【０００２】
ＰＣウェル基礎を備える橋梁の施工方法として、例えば特許文献１に開示されているものが知られている。ここで、ＰＣウェル基礎とは、公知のＰＣウェル工法により構築される基礎構造であり、ＰＣウェル工法とは、短筒状のプレキャストコンクリートからなるＰＣウェルを地中に順次圧入しながら複数積層して、地盤内に長尺筒状のＰＣウェル基礎を構築し、そのＰＣウェル基礎の軸方向全長に亘ってＰＣ鋼材を配置し、それを緊張させることによってＰＣウェル基礎全体にプレストレスを付与する工法である。
【０００３】
図７に示すように、従来の橋梁１０１の施工方法は、ＰＣウェル基礎１０２を地中に複数構築する基礎構築工程と、各ＰＣウェル基礎１０２にそれぞれ橋脚１０３を固定する橋脚固定工程と、各橋脚１０３間に橋梁上部工１０４を架設する架設工程とを備えている。また、上記橋脚固定工程は、図８に示すように、ＰＣウェル基礎１０２の内部にコンクリートを打設、養生して、仮支持台１０５を構築する仮支持台構築工程と、仮支持台１０５に橋脚１０３を仮置きする仮置工程と、ＰＣウェル基礎１０２の内部にモルタル１０６を打設、養生することにより橋脚１０３をＰＣウェル基礎１０２に固定するモルタル充填工程とを備えている。
【特許文献１】特開２００４−１９０２６６号公報
【発明の開示】
【発明が解決しようとする課題】
【０００４】
しかし、このような橋梁１０１の施工方法では、橋脚１０３を設置するためには、仮支持台構築工程を行い、仮支持台１０５のコンクリートが硬化するのを待たなければならず、硬化に要する時間が施工期間を長期化してしまうという問題があった。
【０００５】
本発明は、上記問題を解決するためになされたものであって、施工期間を短縮することができるＰＣウェル及び橋梁の施工方法の提供を目的とする。
【課題を解決するための手段】
【０００６】
本発明の前記目的は、筒状のＰＣウェル本体と、前記ＰＣウェル本体から内方に突出し、橋脚を取り付け可能な固定部とを備えるＰＣウェルにより達成される。
【０００７】
また、前記目的は、上記ＰＣウェルを用いて、内周面に前記固定部を有する筒状のＰＣウェル基礎を複数構築する基礎構築工程と、前記固定部に橋脚を取り付けることにより前記各ＰＣウェル基礎にそれぞれ前記橋脚を仮固定する仮固定工程と、前記各橋脚間に橋梁上部工を架設する架設工程と、前記各ＰＣウェル基礎の内部にコンクリートを打設して養生することにより前記各橋脚を前記各ＰＣウェル基礎に本固定する本固定工程とを備え、前記架設工程は、前記本固定工程より前、又は、同時に行われることを特徴とする橋梁の施工方法により達成される。
【発明の効果】
【０００８】
本発明のＰＣウェル及び橋梁の施工方法によれば、施工期間を短縮することができる。
【発明を実施するための最良の形態】
【０００９】
以下、本発明の実施形態について添付図面を参照して説明する。図１は、本発明の一実施形態に係る橋梁の施工方法により構築された橋梁の側面図であり、図２は、（ａ）図１のＡ−Ａ断面図、及び（ｂ）この断面図におけるＢ−Ｂ断面図である。
【００１０】
図１及び図２に示すように、橋梁１は、地中に埋設された複数のＰＣウェル基礎２と、各ＰＣウェル基礎２に固定された複数の橋脚３と、各橋脚３間に架設された橋梁上部工４とを備えている。
【００１１】
ＰＣウェル基礎２は、地中に配置された複数の普通ＰＣウェル２０ａ及び固定用ＰＣウェル２０ｂを備えており、筒状に構成されている。また、ＰＣウェル基礎２は、図示しないＰＣ鋼材を備えており、ＰＣ鋼材の緊張により、軸方向にプレストレスが導入されている。ＰＣウェル基礎２内には、底部に図示しない底盤コンクリートが充填され、その上に中詰土砂７０が充填されている。また、ＰＣウェル基礎２内には、橋脚３を固定する頭部コンクリート８０が最上部に充填されている。
【００１２】
普通ＰＣウェル２０ａ及び固定用ＰＣウェル２０ｂは、工場で予め製作された鉄筋コンクリート製の部材である。普通ＰＣウェル２０ａは、円筒状のＰＣウェル本体２１を備えている。固定用ＰＣウェル２０ｂは、円筒状のＰＣウェル本体２１と、ＰＣウェル本体２１の内周面から径方向内方に突出する突起状の固定部１０を備えている。普通ＰＣウェル２０ａが軸方向に沿って複数積層され、普通ＰＣウェル２０ａの上に固定用ＰＣウェル２０ｂが積層されることにより、内周面に固定部１０を有するＰＣウェル基礎２が構築されている。
【００１３】
図３及び図４は、固定用ＰＣウェル２０ｂの要部を示す断面図である。図３に示すように、固定部１０には、アンカーボルト１２が挿入されるボルト孔１１が固定用ＰＣウェル２０ｂの軸方向に沿って形成されている。また、図４に示すように、固定用ＰＣウェル２０ｂは、軸方向及び周方向に沿って複数配置され、格子状に組み合わされた鉄筋５０を内部に備えている。また、固定用ＰＣウェル２０ｂは、固定部１０が設けられた部分では、径方向に複数配置され、格子状に組み合わされた鉄筋５０を更に備えている。これにより、固定部１０は、橋脚３の荷重を支持可能に構成されている。
【００１４】
橋脚３は、例えば、箱型断面の鋼製橋脚を用いることができ、下端部に水平に配置されたベースプレート３０を備えている。ベースプレート３０には、アンカーボルト１２が挿入されるボルト孔３１が橋脚３の軸方向に沿って形成されている。ベースプレート３０は、固定部１０上に設置され、ボルト孔１１、３１に挿入されたアンカーボルト１２により固定部１０に仮固定されている。ベースプレート３０の下方には、梁状の鋼製アンカービーム３２が配置されている。アンカービーム３２は、アンカーボルト１２が挿入されるボルト孔３３を備えており、アンカーボルト１２によって固定されることによりベースプレート３０に連結されている。
【００１５】
橋梁上部工４は、例えば、箱型断面の主桁部４１と、主桁部４１から横方向に張り出すブラケット部４２とを備えるものを用いることができ、図示しないボルトや溶接などによって橋脚の上端部に固定されている。
【００１６】
次に、橋梁の施工方法について説明する。図５は、橋梁の施工方法の手順を示す工程図である。まず、固定用ＰＣウェル２０ｂを用いて、内周面に固定部１０を有するＰＣウェル基礎２を複数構築する基礎構築工程（ステップＳ１）を行う。具体的には、各ＰＣウェル基礎２を設置する地盤にそれぞれ複数の普通ＰＣウェル２０ａ及び固定用ＰＣウェル２０ｂを順次圧入することにより、軸方向に沿って積層し、各ＰＣウェル基礎２を構築する。固定用ＰＣウェル２０ｂは、普通ＰＣウェル２０ａの上に設置される。各ＰＣウェル２０ａ、２０ｂの圧入は、例えば、地中に埋設したグランドアンカーを反力として、所定深度まで押圧する方法により行うことができる。また、ＰＣウェル基礎２の内部に図示しない底盤コンクリートを打設し、底盤コンクリートの上に中詰土砂７０を充填する。
【００１７】
次に、固定部１０に橋脚３を取り付けることにより、各ＰＣウェル基礎２にそれぞれ橋脚３を仮固定する仮固定工程（ステップＳ２）を行う。具体的には、まず、アンカービーム３２をＰＣウェル基礎２の内部に挿入し、固定部１０の下方に配置する。アンカービーム３２の配置は、クレーンで吊り上げることにより行うことができる。次に、この状態で、橋脚３の基部をＰＣウェル基礎２の内部に挿入し、固定用ＰＣウェル２０ｂの固定部１０上にベースプレート３０を設置する。橋脚３の設置は、例えば橋脚３をクレーンで吊り上げることにより行うことができる。そして、ボルト孔１１、３１、３３にアンカーボルト１２を挿入することにより、アンカービーム３２とベースプレート３０とを連結すると共に、ベースプレート３０を固定部１０取り付ける。これにより、橋脚３がＰＣウェル基礎２に仮固定される。橋脚３がＰＣウェル基礎２に仮固定されているときは、橋脚３を移動させて設置位置を調整してもよい。
【００１８】
続いて、各橋脚３間に橋梁上部工４を架設する架設工程（ステップＳ３）を行う。具体的には、予め組み立てられた橋梁上部工４を一括で架設することにより各橋脚３間に架設する。また、橋梁上部工４は、現場で組み立てられることにより架設されてもよい。また、橋梁上部工４をジャッキアップすることにより橋脚３上に設置してもよい。
【００１９】
また、架設工程（ステップＳ３）と同時に、又は、それより後に各ＰＣウェル基礎２の内部に頭部コンクリート８０を打設して養生することにより各橋脚３を各ＰＣウェル基礎２に本固定する本固定工程（ステップＳ４）を行う。具体的には、ＰＣウェル基礎２内部の中詰土砂７０の上に頭部コンクリート８０を充填して硬化させる。これにより、ベースプレート３０及びアンカービーム３２が頭部コンクリート８０により固定され、橋脚３がＰＣウェル基礎２に完全に固定される。こうして、橋梁１が構築される。
【００２０】
本実施形態に係る橋梁の施工方法によれば、内周面に固定部１０を有するＰＣウェル基礎２を複数構築する基礎構築工程（Ｓ１）と、固定部１０に橋脚３を取り付けることにより各ＰＣウェル基礎２にそれぞれ橋脚３を仮固定する仮固定工程（Ｓ２）と、各橋脚３間に橋梁上部工４を架設する架設工程（Ｓ３）と、各ＰＣウェル基礎２の内部に頭部コンクリート８０を打設して養生することにより各橋脚３を各ＰＣウェル基礎２に本固定する本固定工程（Ｓ４）とを備え、架設工程（Ｓ３）が本固定工程（Ｓ４）より前、又は、同時に行われるので、頭部コンクリート８０が硬化するのを待つことなく橋梁上部工４を架設することができ、橋梁１の建設を進めることができるため、施工期間を短縮することができる。
【００２１】
以上、本発明の一実施形態について説明したが、本発明の具体的な態様は、上記実施形態に限定されるものではない。
【００２２】
例えば、本実施形態では、固定部１０は、固定用ＰＣウェル２０ｂの内周面に設けられた突起状の鉄筋コンクリートであったが、橋脚３のベースプレートを固定することができればその構成は特に限定されず、図６に示すように、固定用ＰＣウェル２０ｂの上端部に取り付けられた鋼板であってもよい。
【００２３】
また、本実施形態では、固定用ＰＣウェル２０ｂはＰＣウェル基礎２の最上部に配置されていたが、橋脚３を固定できれば、その設置位置は特に限定されず、固定用ＰＣウェル２０ｂの上に普通ＰＣウェル２０ａが配置されていてもよい。
【図面の簡単な説明】
【００２４】
【図１】本発明の一実施形態に係る橋梁の施工方法により構築された橋梁の側面図である。
【図２】（ａ）図１のＡ−Ａ断面図、及び（ｂ）この断面図におけるＢ−Ｂ断面図である。
【図３】固定用ＰＣウェルの要部を示す断面図である。
【図４】固定用ＰＣウェルの要部を示す断面図である。
【図５】橋梁の施工方法の手順を示す工程図である。
【図６】他の実施形態に係る固定用ＰＣウェルの要部を示す断面図である。
【図７】従来の橋梁の施工方法により構築された橋梁の側面図である。
【図８】従来のＰＣウェル基礎の要部を示す断面図である。
【符号の説明】
【００２５】
１  橋梁
２  ＰＣウェル基礎
３  橋脚
４  橋梁上部工
１０  固定部
１１  ボルト孔
１２  アンカーボルト
２０ａ  普通ＰＣウェル
２０ｂ  固定用ＰＣウェル
３０  ベースプレート
５０  鉄筋
【図１】
2008101394.tif 000003
【図２】
2008101394.tif 000004
【図３】
2008101394.tif 000005
【図４】
2008101394.tif 000006
【図５】
2008101394.tif 000007
【図６】
2008101394.tif 000008
【図７】
2008101394.tif 000009
【図８】
2008101394.tif 000010